(57)【要約】  本開示の複数の態様が、５Ｇ新無線（ＮＲ）ネットワークにおけるチャネル推定および復調を容易にし得る、様々な同期信号（ＳＳ）ブロック設計を提供する。例示的なＳＳブロックは、ＳＳブロック内で時間および／または周波数多重化された、１次同期信号（ＰＳＳ）、２次同期信号（ＳＳＳ）、および物理ブロードキャストチャネル（ＰＢＣＨ）を搬送するために割り振られた時間周波数リソースのセットを含む。いくつかの例では、ＳＳブロックの未使用の時間周波数リソースは、ワイヤレスリンクカバレッジを改善および／または拡張し得る補助チャネルのために使用または割り振られ得る。【選択図】図７
2020517176.tif 000002
【特許請求の範囲】
【請求項１】
ワイヤレス通信の方法であって、
同期信号（ＳＳ）ブロックおよび補助チャネルを送信するために、複数の時間領域シンボルをスケジュールすることと、前記ＳＳブロックは、１次同期信号（ＰＳＳ）、２次同期信号（ＳＳＳ）、および物理ブロードキャストチャネル（ＰＢＣＨ）を備え、
送信のために前記ＰＢＣＨと前記補助チャネルをジョイント符号化することと、
ユーザ機器（ＵＥ）に、前記ＳＳブロックと前記補助チャネルとを備える前記複数の時間領域シンボルを送信することと、前記ＰＳＳまたはＳＳＳのうちの少なくとも１つは、前記補助チャネルと周波数多重化されている、
を備える方法。
【請求項２】
前記補助チャネルは、補助ＰＢＣＨを備える、請求項１に記載の方法。
【請求項３】
前記補助チャネルおよび前記ＳＳＳは、同じ時間領域シンボルにおいて周波数多重化される、請求項１に記載の方法。
【請求項４】
前記補助チャネルおよび前記ＰＳＳは、同じ時間領域シンボルにおいて周波数多重化される、請求項３に記載の方法。
【請求項５】
前記送信することは、
第１の帯域幅に及ぶ前記ＰＢＣＨを送信することと、
前記第１の帯域幅よりも狭い第２の帯域幅に及ぶ前記ＰＳＳおよびＳＳＳを送信することと
を備える、請求項１に記載の方法。
【請求項６】
前記送信することは、
公称電力レベルよりも高いブーストされた電力レベルで、前記ＰＳＳまたはＳＳＳのうちの少なくとも１つを送信すること
を備える、請求項５に記載の方法。
【請求項７】
前記公称電力レベルに対して前記ＰＳＳまたはＳＳＳのうちの少なくとも１つの前記ブーストされた電力レベルを前記ＵＥに示すこと
をさらに備える、請求項６に記載の方法。
【請求項８】
前記補助チャネルは、
ＳＳブロック時間インデックスをシグナリングするための３次同期信号（ＴＳＳ）、
ビーム微調整を容易にするためのビーム基準信号（ＢＲＳ）、
ウェイクアップ無線信号、
物理ダウンリンク制御チャネル（ＰＤＣＣＨ）のための共通探索空間、または
ページング信号
のうちの少なくとも１つを備える、請求項１に記載の方法。
【請求項９】
前記送信することは、同じ送信構成を利用して、前記補助チャネルと前記ＰＢＣＨを送信することを備える、請求項１に記載の方法。
【請求項１０】
前記送信構成は、アンテナポート構成、ビームフォーミング構成、送信ダイバーシティスキーム、またはニューメロロジーのうちの少なくとも１つを備える、請求項９に記載の方法。
【請求項１１】
前記補助チャネルのための基準信号として、前記ＰＢＣＨの復調基準信号（ＤＭＲＳ）を利用することをさらに備える、請求項１に記載の方法。
【請求項１２】
前記補助チャネルのための前記基準信号として、前記ＰＢＣＨの前記ＤＭＲＳを利用するように前記ＵＥに指示することをさらに備える、請求項１１に記載の方法。
【請求項１３】
ワイヤレス通信の方法であって、
同期信号（ＳＳ）ブロックと補助チャネルとを備える複数の時間領域シンボルを受信することと、
前記ＳＳブロックは、１次同期信号（ＰＳＳ）、２次同期信号（ＳＳＳ）、および物理ブロードキャストチャネル（ＰＢＣＨ）を備え、前記ＰＳＳまたはＳＳＳのうちの少なくとも１つは、前記補助チャネルと周波数多重化されており、
前記補助チャネル、ＰＳＳ、ＳＳＳ、および前記補助チャネルとジョイント符号化されたＰＢＣＨを復元するために、前記複数の時間領域シンボルを復号することと
を備える方法。
【請求項１４】
前記補助チャネルは、補助ＰＢＣＨを備える、請求項１３に記載の方法。
【請求項１５】
前記復号することは、
前記ＰＢＣＨと前記補助ＰＢＣＨをジョイント復号すること
を備える、請求項１４に記載の方法。
【請求項１６】
前記補助チャネルおよび前記ＳＳＳは、同じ時間領域シンボルにおいて周波数多重化される、請求項１３に記載の方法。
【請求項１７】
前記補助チャネルおよび前記ＰＳＳは、同じ時間領域シンボルにおいて周波数多重化される、請求項１６に記載の方法。
【請求項１８】
前記受信することは、
第１の帯域幅に及ぶ前記ＰＢＣＨを受信することと、
前記第１の帯域幅よりも狭い第２の帯域幅に及ぶ前記ＰＳＳおよびＳＳＳを受信することと
を備える、請求項１３に記載の方法。
【請求項１９】
前記受信することは、
公称電力レベルよりも高いブーストされた電力レベルで、前記ＰＳＳまたはＳＳＳのうちの少なくとも１つを受信すること
を備える、請求項１３に記載の方法。
【請求項２０】
前記公称電力レベルに対して前記ＰＳＳまたはＳＳＳのうちの少なくとも１つの前記ブーストされた電力レベルを示す、スケジューリングエンティティからのインジケーションを受信すること
をさらに備える、請求項１９に記載の方法。
【請求項２１】
前記補助チャネルは、
ＳＳブロック時間インデックスをシグナリングするための３次同期信号（ＴＳＳ）、
ビーム微調整を容易にするためのビーム基準信号（ＢＲＳ）、
ウェイクアップ無線信号、
物理ダウンリンク制御チャネル（ＰＤＣＣＨ）のための共通探索空間、または
ページング信号
のうちの少なくとも１つを備える、請求項１３に記載の方法。
【請求項２２】
前記補助チャネルのための基準信号として、前記ＰＢＣＨの復調基準信号（ＤＭＲＳ）を利用するためのインジケーションを受信すること
をさらに備える、請求項１３に記載の方法。
【請求項２３】
前記復号することは、
ＰＢＣＨ復調基準信号（ＤＭＲＳ）を使用して前記補助チャネルを復調すること
を備える、請求項１３に記載の方法。
【請求項２４】
ワイヤレス通信のためのスケジューリングエンティティであって、
通信インターフェースと、
メモリと、
前記通信インターフェースと前記メモリとに動作可能に結合されたプロセッサと
を備え、ここにおいて、前記プロセッサおよび前記メモリは、
同期信号（ＳＳ）ブロックおよび補助チャネルを送信するために、複数の時間領域シンボルをスケジュールすることと、前記ＳＳブロックは、１次同期信号（ＰＳＳ）、２次同期信号（ＳＳＳ）、および物理ブロードキャストチャネル（ＰＢＣＨ）を備え、
送信のために前記ＰＢＣＨと前記補助チャネルをジョイント符号化することと、
ユーザ機器（ＵＥ）に、前記ＳＳブロックと前記補助チャネルとを備える前記複数の時間領域シンボルを送信することと、前記ＰＳＳまたはＳＳＳのうちの少なくとも１つは、前記補助チャネルと周波数多重化されている、
を行うように構成される、スケジューリングエンティティ。
【請求項２５】
前記補助チャネルは、補助ＰＢＣＨを備える、請求項２４に記載のスケジューリングエンティティ。
【請求項２６】
前記補助チャネルおよび前記ＳＳＳは、同じ時間領域シンボルにおいて周波数多重化される、請求項２４に記載のスケジューリングエンティティ。
【請求項２７】
前記補助チャネルおよび前記ＰＳＳは、同じ時間領域シンボルにおいて周波数多重化される、請求項２６に記載のスケジューリングエンティティ。
【請求項２８】
前記プロセッサおよび前記メモリは、
第１の帯域幅に及ぶ前記ＰＢＣＨを送信することと、
前記第１の帯域幅よりも狭い第２の帯域幅に及ぶ前記ＰＳＳおよびＳＳＳを送信することと
を行うようにさらに構成される、請求項２４に記載のスケジューリングエンティティ。
【請求項２９】
前記プロセッサおよび前記メモリは、
公称電力レベルよりも高いブーストされた電力レベルで、前記ＰＳＳおよび／またはＳＳＳを送信すること
を行うようにさらに構成される、請求項２８に記載のスケジューリングエンティティ。
【請求項３０】
前記プロセッサおよび前記メモリは、
前記公称電力レベルに対して前記ＰＳＳおよび／またはＳＳＳの前記ブーストされた送信電力レベルを前記ＵＥに示すこと
を行うようにさらに構成される、請求項２９に記載のスケジューリングエンティティ。
【請求項３１】
前記補助チャネルは、
ＳＳブロック時間インデックスをシグナリングするための３次同期信号（ＴＳＳ）、
ビーム微調整を容易にするためのビーム基準信号（ＢＲＳ）、
ウェイクアップ無線信号、
物理ダウンリンク制御チャネル（ＰＤＣＣＨ）のための共通探索空間、または
ページング信号
のうちの少なくとも１つを備える、請求項２４に記載のスケジューリングエンティティ。
【請求項３２】
前記プロセッサおよび前記メモリは、
同じ送信構成を利用して、前記補助チャネルと前記ＰＢＣＨを送信すること
を行うようにさらに構成される、請求項２４に記載のスケジューリングエンティティ。
【請求項３３】
前記送信構成は、アンテナポート構成、ビームフォーミング構成、送信ダイバーシティスキーム、またはニューメロロジーのうちの少なくとも１つを備える、請求項３２に記載のスケジューリングエンティティ。
【請求項３４】
前記プロセッサおよび前記メモリは、
前記補助チャネルのための基準信号として、前記ＰＢＣＨの復調基準信号（ＤＭＲＳ）を利用すること
を行うようにさらに構成される、請求項２４に記載のスケジューリングエンティティ。
【請求項３５】
前記プロセッサおよび前記メモリは、
前記補助チャネルのための前記基準信号として、前記ＰＢＣＨの前記ＤＭＲＳを利用するように前記ＵＥに指示すること
を行うようにさらに構成される、請求項３４に記載のスケジューリングエンティティ。
【請求項３６】
ワイヤレス通信のためのユーザ機器（ＵＥ）であって、
通信インターフェースと、
メモリと、
前記通信インターフェースと前記メモリとに動作可能に結合されたプロセッサと
を備え、ここにおいて、前記プロセッサおよび前記メモリは、
同期信号（ＳＳ）ブロックと補助チャネルとを備える複数の時間領域シンボルを受信することと、
前記ＳＳブロックは、１次同期信号（ＰＳＳ）、２次同期信号（ＳＳＳ）、および物理ブロードキャストチャネル（ＰＢＣＨ）を備え、前記ＰＳＳまたはＳＳＳのうちの少なくとも１つは、前記補助チャネルと周波数多重化されており、
前記補助チャネル、ＰＳＳ、ＳＳＳ、および前記補助チャネルとジョイント符号化されたＰＢＣＨを復元するために、前記複数の時間領域シンボルを復号することと
を行うように構成される、ＵＥ。
【請求項３７】
前記補助チャネルは、補助ＰＢＣＨを備える、請求項３６に記載のＵＥ。
【請求項３８】
前記プロセッサおよび前記メモリは、
前記ＰＢＣＨと前記補助ＰＢＣＨをジョイント復号すること
を行うようにさらに構成される、請求項３７に記載のＵＥ。
【請求項３９】
前記補助チャネルおよび前記ＳＳＳは、同じ時間領域シンボルにおいて周波数多重化される、請求項３６に記載のＵＥ。
【請求項４０】
前記補助チャネルおよび前記ＰＳＳは、同じ時間領域シンボルにおいて周波数多重化される、請求項３９に記載のＵＥ。
【請求項４１】
前記プロセッサおよび前記メモリは、
第１の帯域幅に及ぶ前記ＰＢＣＨを受信することと、
前記第１の帯域幅よりも狭い第２の帯域幅に及ぶ前記ＰＳＳおよびＳＳＳを受信することと
を行うようにさらに構成される、請求項３６に記載のＵＥ。
【請求項４２】
前記プロセッサおよび前記メモリは、
公称電力レベルよりも高いブーストされた電力レベルで、前記ＰＳＳおよびＳＳＳを受信すること
を行うようにさらに構成される、請求項３６に記載のＵＥ。
【請求項４３】
前記プロセッサおよび前記メモリは、
前記ＰＳＳまたはＳＳＳのうちの少なくとも１つの送信電力が、前記公称電力レベルから前記ブーストされた電力レベルに増大されたことを示す、スケジューリングエンティティからのインジケーションを受信すること
を行うようにさらに構成される、請求項４２に記載のＵＥ。
【請求項４４】
前記補助チャネルは、
ＳＳブロック時間インデックスをシグナリングするための３次同期信号（ＴＳＳ）、
ビーム微調整を容易にするためのビーム基準信号（ＢＲＳ）、
ウェイクアップ無線信号、
物理ダウンリンク制御チャネル（ＰＤＣＣＨ）のための共通探索空間、または
ページング信号
のうちの少なくとも１つを備える、請求項３６に記載のＵＥ。
【請求項４５】
前記プロセッサおよび前記メモリは、
前記補助チャネルのための基準信号として、前記ＰＢＣＨの復調基準信号（ＤＭＲＳ）を利用するためのインジケーションを受信すること
を行うようにさらに構成される、請求項３６に記載のＵＥ。
【請求項４６】
前記プロセッサおよび前記メモリは、
ＰＢＣＨ復調基準信号（ＤＭＲＳ）を使用して前記補助チャネルを復調すること
を行うようにさらに構成される、請求項３６に記載のＵＥ。
【発明の詳細な説明】
【関連出願の相互参照】
【０００１】
[0001]本願は、２０１７年４月１４日に米国特許商標庁に出願された、仮特許出願第６２／４８５，８２２号と、２０１８年３月２６日に米国特許商標庁に出願された非仮特許出願第１５／９３６，２００号の優先権および利益を主張し、それらの内容全体が、以下にそれらの全体が完全に記載されているかのように、また全ての適用可能な目的のために、参照により本明細書に組み込まれている。
【技術分野】
【０００２】
[0002]以下で説明される技術は、一般にワイヤレス通信システムに関し、より詳細には、ワイヤレス通信のための同期信号設計および関連する方法に関する。
【イントロダクション】
【０００３】
[0003]５Ｇ新無線（ＮＲ）のような次世代ワイヤレスネットワークは、例えば、スマートフォン、モバイルデバイス、モノのインターネット（ＩｏＴ）デバイス、センサネットワーク、等々を含む、増大した数のサービスおよびデバイスをサポートし得る。現行のネットワークと比較して、５Ｇ  ＮＲは、様々なアプリケーションにおいて、より高いビットレート、より高速なモビリティ、および／またはより低いレイテンシなどの、より優れた性能を提供し得る。加えて、５Ｇ  ＮＲネットワークは、より高い接続密度、新しいスペクトル割振りを有し、アンライセンスおよびライセンスバンドを利用し得る。５Ｇ  ＮＲでは、同期要件は、提供されるサービスと、ネットワークインフラストラクチャとに基づき得る。例えば、デバイスツーデバイス（Ｄ２Ｄ）、ピアツーピア（Ｐ２Ｐ）、車車間（Ｖ２Ｖ）、およびＩｏＴ通信は、正確な同期を必要とする。さらに、次世代ネットワークは、ネットワークからの同期サポートを必要とし得る、タイムセンシティブネットワーク（time-sensitive networks）に関連した新しいエアインターフェースおよび能力を導入し得る。したがって、５Ｇ  ＮＲネットワーク設計では、同期信号設計および関連する特徴（related features）が重要である。
【発明の概要】
【０００４】
[0004]本開示の１つまたは複数の態様の基本的な理解を提供するために、そのような態様の簡略化された概要を以下に提示する。この概要は、本開示の全ての企図される特徴の広範な概略ではなく、また、本開示の全ての態様の主要または重要な要素を特定することも、本開示の任意または全ての態様の範囲を定めることも意図しない。その唯一の目的は、後に提示されるより詳細な説明への前置きとして、簡略化された形で本開示の１つまたは複数の態様のいくつかの概念を提示することである。
【０００５】
[0005]本開示の複数の態様が、５Ｇ新無線（ＮＲ）ネットワークにおけるチャネル推定および復調を容易にし得る、様々な同期信号（ＳＳ）ブロック設計を提供する。例示的なＳＳブロックは、ＳＳブロック内で時間および／または周波数多重化された、１次同期信号（ＰＳＳ）、２次同期信号（ＳＳＳ）、および物理ブロードキャストチャネル（ＰＢＣＨ）を搬送するために割り振られた時間周波数リソースのセットを含む。いくつかの例では、ＳＳブロックの未使用の時間周波数リソースは、ワイヤレスリンクカバレッジを改善および／または拡張し得る補助チャネル（supplemental channels）のために使用または割り振られ得る。
【０００６】
[0006]本開示の一態様が、スケジューリングエンティティにおいて動作可能なワイヤレス通信の方法を提供する。スケジューリングエンティティは、同期信号（ＳＳ）ブロックおよび補助チャネルを送信するために、複数の時間領域シンボルをスケジュールする。ＳＳブロックは、１次同期信号（ＰＳＳ）、２次同期信号（ＳＳＳ）、および物理ブロードキャストチャネル（ＰＢＣＨ）を含む。スケジューリングエンティティは、送信のためにＰＢＣＨと補助チャネルをジョイント符号化する（jointly encodes）。スケジューリングエンティティは、ユーザ機器（ＵＥ）に、ＳＳブロックと補助チャネルとを含む複数の時間領域シンボルを送信する。ＰＳＳまたはＳＳＳのうちの少なくとも１つは、補助チャネルと周波数多重化される。
【０００７】
[0007]本開示の別の態様が、ユーザ機器（ＵＥ）において動作可能なワイヤレス通信の方法を提供する。ＵＥは、同期信号（ＳＳ）ブロックと補助チャネルとを含む複数の時間領域シンボルを受信する。ＳＳブロックは、１次同期信号（ＰＳＳ）、２次同期信号（ＳＳＳ）、および物理ブロードキャストチャネル（ＰＢＣＨ）を含み、ＰＳＳまたはＳＳＳのうちの少なくとも１つは、補助チャネルと周波数多重化されている。ＵＥは、補助チャネル、ＰＳＳ、ＳＳＳ、および補助チャネルとジョイント符号化されたＰＢＣＨを復元するために、複数の時間領域シンボルを復号する。
【０００８】
[0008]本開示の別の態様が、ワイヤレス通信のためのスケジューリングエンティティを提供する。スケジューリングエンティティは、通信インターフェース、メモリ、および通信インターフェースとメモリとに動作可能に結合されたプロセッサを含む。プロセッサおよびメモリは、同期信号（ＳＳ）ブロックおよび補助チャネルを送信するために、複数の時間領域シンボルをスケジュールするように構成され、ＳＳブロックは、１次同期信号（ＰＳＳ）、２次同期信号（ＳＳＳ）、および物理ブロードキャストチャネル（ＰＢＣＨ）を備える。プロセッサおよびメモリは、送信のためにＰＢＣＨと補助チャネルをジョイント符号化するように構成される。プロセッサおよびメモリは、ユーザ機器（ＵＥ）に、ＳＳブロックと補助チャネルとを含む複数の時間領域シンボルを送信するように構成され、ＰＳＳまたはＳＳＳのうちの少なくとも１つは、補助チャネルと周波数多重化される。
【０００９】
[0009]本開示の別の態様が、ワイヤレス通信のためのユーザ機器（ＵＥ）を提供する。ＵＥは、通信インターフェース、メモリ、および通信インターフェースとメモリとに動作可能に結合されたプロセッサを含む。プロセッサおよびメモリは、同期信号（ＳＳ）ブロックと補助チャネルとを含む複数の時間領域シンボルを受信するように構成される。ＳＳブロックは、１次同期信号（ＰＳＳ）、２次同期信号（ＳＳＳ）、および物理ブロードキャストチャネル（ＰＢＣＨ）を含む。ＰＳＳまたはＳＳＳのうちの少なくとも１つは、補助チャネルと周波数多重化される。プロセッサおよびメモリは、補助チャネル、ＰＳＳ、ＳＳＳ、および補助チャネルとジョイント符号化されたＰＢＣＨを復元するために、複数の時間領域シンボルを復号するように構成される。
【００１０】
[0010]本発明のこれらおよび他の態様は、以下に続く詳細な説明の検討により、より完全に理解されることになるであろう。本発明の他の態様、特徴、および実施形態は、本発明の特定の例示的な実施形態の以下に続く説明を、添付の図面と併せて検討することにより、当業者にとって明らかになるであろう。本発明の特徴が、以下である特定の実施形態および図面に関連して説明され得る一方で、本発明の全ての実施形態は、本明細書で説明される有利な特徴のうちの１つまたは複数を含み得る。換言すれば、１つまたは複数の実施形態が、ある特定の有利な特徴を有するものとして説明され得る一方で、そのような特徴のうちの１つまたは複数はまた、本明細書で説明される本発明の様々な実施形態に従って使用され得る。同様に、例示的な実施形態が、デバイス、システム、または方法の実施形態として以下で説明され得る一方で、そのような例示的な実施形態は、様々なデバイス、システム、および方法でインプリメントされ得ることが理解されるべきである。
【図面の簡単な説明】
【００１１】
【図１】[0011]図１は、ワイヤレス通信システムの概略図である。
【図２】[0012]図２は、無線アクセスネットワークの例の概念図である。
【図３】[0013]図３は、本開示のいくつかの態様による、複数のＳＳブロックを含む同期信号（ＳＳ）バーストを例示する図である。
【図４】[0014]図４は、直交周波数分割多重化（ＯＦＤＭ）を利用するエアインターフェースにおけるワイヤレスリソースの編成の概略図である。
【図５】[0015]図５は、本開示のいくつかの態様による、スケーラブルニューメロロジー（scalable numerology）を利用するＯＦＤＭエアインターフェースの概略図である。
【図６】[0016]図６は、本開示のいくつかの態様による、同期信号（ＳＳ）ブロック設計を例示する図である。
【図７】[0017]図７は、本開示のいくつかの態様による、補助チャネルを伴う例示的なＳＳブロック設計を例示する図である。
【図８】[0018]図８は、本開示のいくつかの態様による、補助チャネルを伴う別の例示的なＳＳブロック設計を例示する図である。
【図９】[0019]図９は、本開示のいくつかの態様による、割り振られていないリソースを伴う例示的なＳＳブロック設計を例示する図である。
【図１０】[0020]図１０は、本開示のいくつかの態様による、割り振られていないリソースを伴う別の例示的なＳＳブロック設計を例示する図である。
【図１１】[0021]図１１は、本開示のいくつかの態様による、スケジューリングエンティティのためのハードウェアインプリメンテーションの例を概念的に例示するブロック図である。
【図１２】[0022]図１２は、本開示のいくつかの態様による、ＳＳブロックを使用するワイヤレス通信のための例示的なプロセスを例示するフローチャートである。
【図１３】[0023]図１３は、本開示のいくつかの態様による、スケジュールされたエンティティのためのハードウェアインプリメンテーションの例を概念的に例示するブロック図である。
【図１４】[0024]図１４は、本開示のいくつかの態様による、ＳＳブロックを使用するワイヤレス通信のための別の例示的なプロセスを例示するフローチャートである。
【詳細な説明】
【００１２】
[0025]添付の図面に関連して以下に示される詳細な説明は、様々な構成の説明として意図され、本明細書で説明される概念が実施され得る唯一の構成を表すようには意図されない。詳細な説明は、様々な概念の完全な理解を提供することを目的とした特定の詳細を含む。しかしながら、これらの概念が、これらの特定の詳細なしで実施され得ることは、当業者には明らかであろう。いくつかの事例では、周知の構造およびコンポーネントが、このような概念を曖昧にすることを避けるために、ブロック図形式で示される。
【００１３】
[0026]態様および実施形態が、いくつかの例に対する例示として本願で説明される一方で、当業者であれば、追加のインプリメンテーションおよび使用事例が、多くの異なる配置およびシナリオにおいて実現し得ることを理解するであろう。本明細書で説明されるイノベーションは、多くの異なるプラットフォームタイプ、デバイス、システム、形状、サイズ、パッケージング配置にわたってインプリメントされ得る。例えば、実施形態および／または使用は、集積チップの実施形態および他の非モジュールコンポーネントベースのデバイス（例えば、エンドユーザデバイス、ビークル、通信デバイス、コンピューティングデバイス、産業機器、小売／購買デバイス、医療デバイス、ＡＩ対応デバイス、等）を介して実現し得る。いくつかの例が、使用事例またはアプリケーションに特に向けられることも、向けられないこともあり得る一方で、説明されるイノベーションの幅広い適用性が生じ得る。インプリメンテーションは、チップレベルまたはモジュラーコンポーネントから、非モジュラー、非チップレベルインプリメンテーションまで、そしてさらには、説明されるイノベーションの１つまたは複数の態様を組み込んだ集約、分散、またはＯＥＭデバイスまたはシステム（aggregate, distributed, or OEM devices or systems）までの範囲（spectrum）に及び得る。いくつかの実用的な設定では、説明される態様および機能を組み込んだデバイスはまた、請求項に記載されおよび説明される実施形態のインプリメンテーションおよび実施のために、追加のコンポーネントおよび機能を必然的に含み得る。例えば、ワイヤレス信号の送信および受信は、アナログおよびデジタル用途のためのいくつかのコンポーネント（例えば、アンテナ、ＲＦチェーン、電力増幅器、変調器、バッファ、（１つまたは複数の）プロセッサ、インターリーバ、加算器／アナログ加算器（adders/summers）、等を含むハードウェアコンポーネント）を必然的に含む。本明細書で説明されるイノベーションは、様々なサイズ、形状、および構成の幅広い様々なデバイス、チップレベルコンポーネント、システム、分散配置（distributed arrangements）、エンドユーザデバイス、等で実施され得ることが意図される。
【００１４】
[0027]本開示の複数の態様が、５Ｇ新無線（ＮＲ）ネットワークにおけるチャネル推定および復調を容易にし得る、様々な同期信号（ＳＳ）ブロック設計を提供する。例示的なＳＳブロックは、ＳＳブロック内で時間および／または周波数多重化された、１次同期信号（ＰＳＳ）、２次同期信号（ＳＳＳ）、および物理ブロードキャストチャネル（ＰＢＣＨ）を搬送するために割り振られた時間周波数リソースのセットを含む。いくつかの例では、ＳＳブロックの未使用の時間周波数リソースは、ワイヤレスリンクカバレッジを改善および／または拡張し得る補助チャネルのために使用または割り振られ得る。
【００１５】
[0028]本開示の全体にわたって提示される様々な概念は、幅広い様々なテレコミュニケーションシステム、ネットワークアーキテクチャ、および通信規格にわたってインプリメントされ得る。ここで図１を参照すると、限定ではなく例示的な例として、本開示の様々な態様が、ワイヤレス通信システム１００を参照して例示される。ワイヤレス通信システム１００は、３つの相互作用する領域（domains）、すなわち、コアネットワーク１０２、無線アクセスネットワーク（ＲＡＮ）１０４、およびユーザ機器（ＵＥ）１０６を含む。ワイヤレス通信システム１００によって、ＵＥ１０６は、（それに限定されるものではないが）インターネットなどの、外部データネットワーク１１０とのデータ通信を実行することが可能になり得る。
【００１６】
[0029]ＲＡＮ１０４は、ＵＥ１０６に無線アクセスを提供するために、任意の好適なワイヤレス通信技術または技法をインプリメントし得る。一例として、ＲＡＮ１０４は、しばしば５Ｇと呼ばれる、第３世代パートナーシッププロジェクト（３ＧＰＰ（登録商標））新無線（ＮＲ）仕様に従って動作し得る。別の例として、ＲＡＮ１０４は、しばしばＬＴＥ（登録商標）と呼ばれる、発展型ユニバーサル地上無線アクセスネットワーク（ｅＵＴＲＡＮ）および５Ｇ  ＮＲ規格のハイブリッドの下で動作し得る。３ＧＰＰは、このハイブリッドＲＡＮを次世代ＲＡＮ、すなわち、ＮＧ−ＲＡＮと呼ぶ。当然ながら、多くの他の例が、本開示の範囲内で利用され得る。
【００１７】
[0030]例示されるように、ＲＡＮ１０４は、複数の基地局１０８を含む。概して、基地局は、ＵＥへのまたはＵＥからの、１つまたは複数のセルにおける無線送信および受信を担う、無線アクセスネットワークにおけるネットワーク構成要素である。異なる技術、規格、またはコンテキストでは、基地局は、当業者によって、トランシーバ基地局（ＢＴＳ：base transceiver station）、無線基地局、無線トランシーバ、トランシーバ機能、基本サービスセット（ＢＳＳ）、拡張サービスセット（ＥＳＳ）、アクセスポイント（ＡＰ）、ノードＢ（ＮＢ）、ｅノードＢ（ｅＮＢ）、ｇノードＢ（ｇＮＢ）、または何らかの他の好適な用語で様々に呼ばれ得る。
【００１８】
[0031]無線アクセスネットワーク１０４は、複数のモバイル装置のためのワイヤレス通信をサポートすることが、さらに例示される。モバイル装置は、３ＧＰＰ規格においてユーザ機器（ＵＥ）と呼ばれ得るが、当業者によって、モバイル局（ＭＳ）、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末（ＡＴ）、モバイル端末、ワイヤレス端末、リモート端末、ハンドセット、端末、ユーザエージェント、モバイルクライアント、クライアント、または何らかの他の好適な用語でも呼ばれ得る。ＵＥは、ユーザにネットワークサービスへのアクセスを提供する装置であり得る。
【００１９】
[0032]本書内では、「モバイル」装置は、必ずしも移動する能力を有する必要はなく、固定であり得る。モバイル装置またはモバイルデバイスという用語は、多種多様なデバイスおよび技術を広く指す。ＵＥは、通信に役立つようにサイズ決定され、形作られ、および配置された、いくつかのハードウェア構造コンポーネントを含み得、このようなコンポーネントは、互いに電気的に結合されたアンテナ、アンテナアレイ、ＲＦチェーン、増幅器、１つまたは複数のプロセッサ、等を含み得る。例えば、モバイル装置のいくつかの非限定的な例は、モバイル、セルラ（セル）フォン、スマートフォン、セッション開始プロトコル（ＳＩＰ）電話、ラップトップ、パーソナルコンピュータ（ＰＣ）、ノートブック、ネットブック、スマートブック、タブレット、携帯情報端末（ＰＤＡ）、および、例えば、「モノのインターネット」（ＩｏＴ）に対応する、幅広い埋込みシステムを含む。モバイル装置は、追加として、自動車または他の輸送ビークル、リモートセンサまたはアクチュエータ、ロボットまたはロボティクスデバイス、衛星ラジオ、全地球測位システム（ＧＰＳ）デバイス、オブジェクト追跡デバイス、ドローン、マルチコプター、クワッドコプター、リモート制御デバイス、例えば、アイウェア、ウェアラブルカメラ、仮想現実デバイス、スマートウォッチ、ヘルスまたはフィットネストラッカ、デジタルオーディオプレーヤ（例えば、ＭＰ３プレーヤ）、カメラ、ゲーム機などの、消費者および／またはウェアラブルデバイス、等であり得る。モバイル装置は、追加として、ホームオーディオ、ビデオ、および／またはマルチメディアデバイスなどの、デジタルホームまたはスマートホームデバイス、アプライアンス、自動販売機、インテリジェント照明、ホームセキュリティシステム、スマートメータ、等であり得る。モバイル装置は、追加として、スマートエネルギーデバイス、セキュリティデバイス、ソーラーパネルまたはソーラーアレイ、電力（例えば、スマートグリッド）、照明、水道、等を制御する都市インフラストラクチャデバイス、産業オートメーションおよび企業デバイス、ロジスティクスコントローラ、農業機器、軍事防衛機器、ビークル、航空機、船舶、および兵器類、等であり得る。またさらに、モバイル装置は、例えば、遠方におけるヘルスケアなどの、ネットワーク医療（connected medicine）またはテレメディシン（telemedicine）サポートを提供し得る。テレヘルスデバイス（telehealth devices）は、テレヘルス監視デバイスおよびテレヘルス管理デバイスを含み得、その通信は、例えば、クリティカルサービスデータのトランスポート用の優先的なアクセス、および／またはクリティカルサービスデータのトランスポート用の関連するＱｏＳの観点から、他のタイプの情報よりも優先的なアクセスが与えられるかまたは優遇措置がとられ得る。
【００２０】
[0033]ＲＡＮ１０４とＵＥ１０６との間のワイヤレス通信は、エアインターフェースを利用するものとして説明され得る。基地局（例えば、基地局１０８）から１つまたは複数のＵＥ（例えば、ＵＥ１０６）へのエアインターフェースを介した送信は、ダウンリンク（ＤＬ）送信と呼ばれ得る。本開示のある特定の態様によれば、ダウンリンクという用語は、（例えば、基地局１０８などの、以下でさらに説明される）スケジューリングエンティティにおいて生じるポイントツーマルチポイント送信を指し得る。このスキームを説明する別の方法が、ブロードキャストチャネル多重化という用語を使用することであり得る。ＵＥ（例えば、ＵＥ１０６）から基地局（例えば、基地局１０８）への送信は、アップリンク（ＵＬ）送信と呼ばれ得る。本開示のさらなる態様によれば、アップリンクという用語は、（例えば、ＵＥ１０６などの、以下でさらに説明される）スケジュールされたエンティティにおいて生じるポイントツーポイント送信を指し得る。
【００２１】
[0034]いくつかの例では、エアインターフェースへのアクセスがスケジュールされ得、ここで、スケジューリングエンティティ（例えば、基地局１０８）は、そのサービスエリアまたはセル内の、一部または全てのデバイスおよび機器の間で、通信のためのリソースを割り振る。本開示内で、以下でさらに説明されるように、スケジューリングエンティティは、１つまたは複数のスケジュールされたエンティティのためのリソースのスケジューリング、割当て、再構成、および解放を担い得る。すなわち、スケジュールされた通信のために、スケジュールされたエンティティであり得るＵＥ１０６は、スケジューリングエンティティ１０８によって割り振られたリソースを利用し得る。
【００２２】
[0035]基地局１０８は、スケジューリングエンティティとして機能し得る唯一のエンティティではない。すなわち、いくつかの例では、ＵＥが、スケジューリングエンティティとして機能し得、１つまたは複数のスケジュールされたエンティティ（例えば、１つまたは複数の他のＵＥ）のためにリソースをスケジュールする。
【００２３】
[0036]図１に例示されるように、スケジューリングエンティティ１０８は、１つまたは複数のスケジュールされたエンティティ１０６にダウンリンクトラフィック１１２をブロードキャストし得る。概して、スケジューリングエンティティ１０８は、ダウンリンクトラフィック１１２と、いくつかの例では、１つまたは複数のスケジュールされたエンティティ１０６からスケジューリングエンティティ１０８へのアップリンクトラフィック１１６とを含む、ワイヤレス通信ネットワークにおけるトラフィックをスケジュールすることを担うノードまたはデバイスである。他方では、スケジュールされたエンティティ１０６は、それに限定されるものではないが、スケジューリング情報（例えば、グラント）、同期またはタイミング情報、またはスケジューリングエンティティ１０８などのワイヤレス通信ネットワークにおける別のエンティティからの他の制御情報を含む、ダウンリンク制御情報１１４を受信するノードまたはデバイスである。
【００２４】
[0037]一般に、基地局１０８は、ワイヤレス通信システムのバックホール部分１２０と通信するためのバックホールインターフェースを含み得る。バックホール１２０は、基地局１０８とコアネットワーク１０２との間のリンクを提供し得る。さらに、いくつかの例では、バックホールネットワークは、それぞれの基地局１０８間の相互接続を提供し得る。任意の好適なトランスポートネットワークを使用する、直接物理接続、仮想ネットワーク、または同様のものなどの、様々なタイプのバックホールインターフェースが用いられ得る。
【００２５】
[0038]コアネットワーク１０２は、ワイヤレス通信システム１００の一部であり得、ＲＡＮ１０４において使用される無線アクセス技術とは非依存（independent）であり得る。いくつかの例では、コアネットワーク１０２は、５Ｇ規格（例えば、５ＧＣ）に従って構成され得る。他の例では、コアネットワーク１０２は、４Ｇ発展型パケットコア（ＥＰＣ）、またはその他任意の好適な規格または構成に従って構成され得る。
【００２６】
[0039]図２は、無線アクセスネットワークの例の概念図である。限定ではなく例として、ＲＡＮ２００の概略図が提供される。いくつかの例では、ＲＡＮ２００は、上記で説明されかつ図１に例示されたＲＡＮ１０４と同じであり得る。ＲＡＮ２００によってカバーされる地理的エリアは、１つのアクセスポイントまたは基地局からブロードキャストされる識別に基づいて、ユーザ機器（ＵＥ）によって一意に識別され得るセルラ領域（セル）に分割され得る。図２は、マクロセル２０２、２０４、および２０６、ならびにスモールセル２０８を例示し、その各々が、１つまたは複数のセクタ（図示せず）を含み得る。セクタは、セルのサブエリアである。１つのセル内の全てのセクタは、同じ基地局によってサービス提供される。セクタ内の無線リンクは、そのセクタに属する単一の論理識別によって識別され得る。複数のセクタに分割されたセルでは、セル内の複数のセクタは、アンテナのグループによって形成され得るとともに、各アンテナが、セルの一部分におけるＵＥとの通信を担う。
【００２７】
[0040]図２では、２つ基地局２１０および２１２が、セル２０２および２０４の中に示され、第３の基地局２１４が、セル２０６におけるリモートラジオヘッド（ＲＲＨ）２１６を制御することが示されている。すなわち、基地局は、一体化されたアンテナ（integrated antenna）を有し得るか、またはフィーダケーブルによってアンテナまたはＲＲＨに接続され得る。例示された例では、基地局２１０、２１２、および２１４が、大きいサイズを有するセルをサポートするので、セル２０２、２０４、および１２６は、マクロセルと呼ばれ得る。さらに、基地局２１８が、１つまたは複数のマクロセルとオーバーラップし得るスモールセル２０８（例えば、マイクロセル、ピコセル、フェムトセル、ホーム基地局、ホームノードＢ、ホームｅノードＢ、等）の中に示される。この例では、基地局２１８が、比較的小さいサイズを有するセルをサポートするので、セル２０８は、スモールセルと呼ばれ得る。セルのサイズ決定は、システム設計ならびにコンポーネント制約に従って行われ得る。
【００２８】
[0041]無線アクセスネットワーク２００は、任意の数のワイヤレス基地局およびセルを含み得ることが理解されるべきである。さらに、所与のセルのサイズまたはカバレッジエリアを拡張するために、中継ノードが展開され得る。基地局２１０、２１２、２１４、２１８は、任意の数のモバイル装置に、コアネットワークへのワイヤレスアクセスポイントを提供する。いくつかの例では、基地局２１０、２１２、２１４、および／または２１８は、上記で説明されかつ図１に例示された基地局／スケジューリングエンティティ１０８と同じであり得る。
【００２９】
[0042]図２は、クワッドコプターまたはドローン２２０をさらに含み、これは、基地局として機能するように構成され得る。すなわち、いくつかの例では、セルは、必ずしも固定ではなく、セルの地理的エリアは、クワッドコプター２２０などのモバイル基地局のロケーションに従って移動し得る。
【００３０】
[0043]ＲＡＮ２００内では、セルは、各セルの１つまたは複数のセクタと通信状態にあり得るＵＥを含み得る。さらに、各基地局２１０、２１２、２１４、２１８、および２２０は、それぞれのセルにおける全てのＵＥに、コアネットワーク１０２（図１を参照）へのアクセスポイントを提供するように構成され得る。例えば、ＵＥ２２２および２２４は、基地局２１０と通信状態にあり得、ＵＥ２２６および２２８は、基地局２１２と通信状態にあり得、ＵＥ２３０および２３２は、ＲＲＨ２１６を経由して基地局２１４と通信状態にあり得、ＵＥ２３４は、基地局２１８と通信状態にあり得、ＵＥ２３６は、モバイル基地局２２０と通信状態にあり得る。いくつかの例では、ＵＥ２２２、２２４、２２６、２２８、２３０、２３２、２３４、２３６、２３８、２４０、および／または２４２は、上記で説明されかつ図１に例示されたＵＥ／スケジュールされたエンティティ１０６と同じであり得る。
【００３１】
[0044]いくつかの例では、モバイルネットワークノード（例えば、クワッドコプター２２０）は、ＵＥとして機能するように構成され得る。例えば、クワッドコプター２２０は、基地局２１０と通信することによって、セル２０２内で動作し得る。
【００３２】
[0045]ＲＡＮ２００のさらなる態様では、サイドリンク信号が、必ずしも基地局からのスケジューリングまたは制御情報に依拠することなく、ＵＥ間で使用され得る。例えば、２つ以上のＵＥ（例えば、ＵＥ２２６および２２８）は、基地局（例えば、基地局２１２）を通じてその通信を中継することなく、ピアツーピア（Ｐ２Ｐ）またはサイドリンク信号２２７を使用して、互いに通信し得る。さらなる例では、ＵＥ２４０と２４２と通信しているＵＥ２３８が例示される。ここで、ＵＥ２３８は、スケジューリングエンティティまたは１次サイドリンクデバイスとして機能し得、ＵＥ２４０および２４２は、スケジュールされたエンティティまたは非１次（例えば、２次）サイドリンクデバイスとして機能し得る。さらに別の例では、ＵＥは、デバイスツーデバイス（Ｄ２Ｄ）、ピアツーピア（Ｐ２Ｐ）、または車車間（Ｖ２Ｖ）ネットワークにおいて、および／またはメッシュネットワークにおいて、スケジューリングエンティティとして機能し得る。メッシュネットワークの例では、ＵＥ２４０および２４２は、スケジューリングエンティティ２３８と通信することに加えて、オプションとして互いに直接通信し得る。したがって、時間周波数リソースへのスケジュールされたアクセスを伴い、かつセルラ構成、Ｐ２Ｐ構成、またはメッシュ構成を有するワイヤレス通信システムでは、スケジューリングエンティティおよび１つまたは複数のスケジュールされたエンティティは、スケジュールされたリソースを利用して通信し得る。
【００３３】
[0046]無線アクセスネットワーク２００では、ＵＥがそのロケーションとは無関係に移動しながら通信する能力は、モビリティと呼ばれる。ＵＥと無線アクセスネットワークとの間の様々な物理チャネルは、一般に、アクセスおよびモビリティ管理機能（ＡＭＦ、図示せず、図１のコアネットワーク１０２の一部）の制御下でセットアップ、維持、および解放され、これは、コントロールプレーン機能とユーザプレーン機能との両方のためのセキュリティコンテキストを管理するセキュリティコンテキスト管理機能（ＳＣＭＦ）と、認証を実行するセキュリティアンカー機能（ＳＥＡＦ）とを含み得る。
【００３４】
[0047]本開示の様々な態様では、無線アクセスネットワーク２００は、モビリティおよびハンドオーバ（すなわち、１つの無線チャネルから別の無線チャネルへのＵＥの接続の転送（transfer））を可能にするために、ＤＬベースのモビリティまたはＵＬベースのモビリティを利用し得る。ＤＬベースのモビリティ用に構成されたネットワークでは、スケジューリングエンティティとのコール中、またはその他任意の時間において、ＵＥは、そのサービングセルからの信号の様々なパラメータ、ならびに隣接セル（neighboring cells）の様々なパラメータを監視し得る。これらのパラメータの品質に依存して、ＵＥは、隣接セルのうちの１つまたは複数との通信を維持し得る。この時間の間に、ＵＥが１つのセルから別のセルに移動した場合、または隣接セルからの信号品質が、所与の時間量にわたってサービングセルからの信号品質を上回る場合、ＵＥは、サービングセルから隣接（ターゲット）セルへのハンドオフまたはハンドオーバに着手（undertake）し得る。例えば、（ＵＥの任意の好適な形態が使用され得るが、ビークルとして例示されている）ＵＥ２２４は、そのサービングセル２０２に対応する地理的エリアから、隣接セル２０６に対応する地理的エリアに移動し得る。隣接セル２０６からの信号強度または品質が、所与の時間量にわたってそのサービングセル２０２の信号強度または品質を上回るとき、ＵＥ２２４は、この状態を示す報告メッセージをそのサービング基地局２１０に送信し得る。それに応答して、ＵＥ２２４は、ハンドオーバコマンドを受信し得、ＵＥは、セル２０６にハンドオーバされ得る（undergo a handover）。
【００３５】
[0048]ＵＬベースのモビリティ用に構成されたネットワークでは、各ＵＥからのＵＬ基準信号は、各ＵＥについてのサービングセルを選択するために、ネットワークによって利用され得る。いくつかの例では、基地局２１０、２１２、および２１４／２１６は、統合された同期信号（unified synchronization signals）（例えば、統合された１次同期信号（ＰＳＳ）、統合された２次同期信号（ＳＳＳ）、および統合された物理ブロードキャストチャネル（ＰＢＣＨ））をブロードキャストし得る。いくつかの実施形態では、ＰＳＳ、ＳＳＳ、およびＰＢＣＨは、自己完結型（self-contained）同期信号（ＳＳ）ブロックに含まれ得る。いくつかの例では、ネットワークは、複数のＳＳブロックを含むＳＳバーストを周期的に送信し得る。２つの例示的なＳＳバースト３００が図３に例示されているが、ＳＳバーストセットは、任意の好適な数のＳＳバーストを含み得る。いくつかの例では、ＳＳバーストセットは、例えば、Ｘミリ秒（ｍｓｅｃ）ごとに、ＳＳバースト３００の周期的な送信を含み得るが、ＳＳバーストの任意の周期性、またはＳＳバーストの非周期的なセットも利用され得る。各ＳＳバースト３００は、所定の数のＳＳブロック３０２を含み得る（図３には、Ｎ個のＳＳブロックが例示されている）。各ＳＳブロック３０２は、時間および／または周波数において多重化されるＰＳＳ、ＳＳＳ、およびＰＢＣＨを含み得る。
【００３６】
[0049]図２に戻って参照すると、ＵＥ２２２、２２４、２２６、２２８、２３０、および２３２は、統合された同期信号を含むＳＳブロック３０２を受信し、同期信号からキャリア周波数およびスロットタイミングを導出し、タイミングを導出したことに応答して、アップリンクパイロットまたは基準信号を送信し得る。ＵＥ（例えば、ＵＥ２２４）によって送信されたアップリンクパイロット信号は、無線アクセスネットワーク２００内の２つ以上のセル（例えば、基地局２１０および２１４／２１６）によって同時並行に受信され得る。セルの各々は、パイロット信号の強度を測定し得、無線アクセスネットワーク（例えば、コアネットワーク内の集約ノード（central node）および／または基地局２１０および２１４／２１６のうちの１つまたは複数）は、ＵＥ２２４のためのサービングセルを決定し得る。ＵＥ２２４が無線アクセスネットワーク２００を通って移動するにつれて、ネットワークは、ＵＥ２２４によって送信されるアップリンクパイロット信号を監視し続け得る。隣接セルによって測定されたパイロット信号の信号強度または品質が、サービングセルによって測定された信号強度または品質を上回るとき、ネットワーク２００は、ＵＥ２２４への通知の有無にかかわらず、ＵＥ２２４をサービングセルから隣接セルにハンドオーバし得る。
【００３７】
[0050]基地局２１０、２１２、および２１４／２１６によって送信される同期信号（例えば、ＳＳブロック３０２）は統合され得るが、同期信号は、特定のセルを識別しない場合があり、むしろ、同じ周波数上でおよび／または同じタイミングで動作する複数のセルのゾーンを識別し得る。５Ｇネットワークまたは他の次世代通信ネットワークにおけるゾーンの使用は、アップリンクベースのモビリティフレームワークを可能にし、ＵＥとネットワークとの間で交換される必要があるモビリティメッセージの数が低減され得るので、ＵＥとネットワークの両方の効率を改善する。
【００３８】
[0051]様々なインプリメンテーションでは、無線アクセスネットワーク２００におけるエアインターフェースは、ライセンススペクトル、アンライセンススペクトル、または共有スペクトルを利用し得る。ライセンススペクトルは、一般に、モバイルネットワーク事業者が政府規制機関からライセンスを購入することによって、スペクトルの一部分の独占的使用を提供する。アンライセンススペクトルは、政府が認可したライセンスの必要なしに、スペクトルの一部分の共同利用を提供する。いくつかの技術的な規則の順守が、一般に、アンライセンススペクトルにアクセスするために依然として必要とされるが、一般に、いかなる事業者またはデバイスもアクセスを得ることができる。共有スペクトルは、ライセンススペクトルとアンライセンススペクトルとの間にあり得、ここで、技術的な規則または制限が、スペクトルにアクセスするために必要とされ得るが、スペクトルは、依然として複数の事業者および／または複数のＲＡＴによって共有され得る。例えば、ライセンススペクトルの一部分に対するライセンスの保有者は、例えば、アクセスを得るための、ライセンシーにより決定された好適な条件とともに、そのスペクトルを他の当事者と共有するために、ライセンス共有アクセス（ＬＳＡ：licensed shared access）を提供し得る。
【００３９】
[0052]無線アクセスネットワーク２００上での送信が、依然として非常に高いデータレートを達成しながら、低いブロック誤り率（ＢＬＥＲ：block error rate）を得るために、チャネルコーディングが使用され得る。すなわち、ワイヤレス通信は、一般に、好適な誤り訂正ブロックコードを利用し得る。典型的なブロックコードでは、情報メッセージまたはシーケンスがコードブロック（ＣＢ）に分割され、その後、送信デバイスにおけるエンコーダ（例えば、ＣＯＤＥＣ）が、情報メッセージに冗長性を数学的に加える。符号化された情報メッセージにおけるこの冗長性の活用は、メッセージの信頼性を改善し得、ノイズにより生じ得る任意のビット誤りの訂正を可能にする。
【００４０】
[0053]初期の５Ｇ  ＮＲ仕様では、ユーザデータは、一方のベースグラフ（base graph）が、大きいコードブロックおよび／または高いコードレートのために使用される一方で、他方のベースグラフが、それ以外の場合に使用される、２つの異なるベースグラフを用いた（with）準巡回低密度パリティチェック（ＬＤＰＣ：low-density parity check）を使用してコーディングされる。制御情報および物理ブロードキャストチャネル（ＰＢＣＨ）は、ネストされたシーケンスに基づいて、Ｐｏｌａｒコーディングを使用してコーディングされる。これらのチャネルについては、パンクチャリング、短縮、および反復が、レートマッチングのために使用される。
【００４１】
[0054]しかしながら、当業者であれば、本開示の態様が、任意の好適なチャネルコードを利用してインプリメントされ得ることを理解するであろう。スケジューリングエンティティ１０８およびスケジュールされたエンティティ１０６の様々なインプリメンテーションは、ワイヤレス通信のためにこれらのチャネルコードのうちの１つまたは複数を利用するための好適なハードウェアおよび能力（例えば、エンコーダ、デコーダ、および／またはＣＯＤＥＣ）を含み得る。
【００４２】
[0055]無線アクセスネットワーク２００におけるエアインターフェースは、様々なデバイスの同時通信を可能にするために、１つまたは複数の多重化および多元接続アルゴリズムを利用し得る。例えば、５Ｇ  ＮＲ仕様は、サイクリックプレフィックス（ＣＰ）を用いる直交周波数分割多重化（ＯＦＤＭ）を利用して、基地局２１０から１つまたは複数のＵＥ２２２および２２４へのＤＬ送信については多重化を、およびＵＥ２２２および２２４から基地局２１０へのＵＬ送信については多元接続を提供する。加えて、ＵＬ送信の場合、５Ｇ  ＮＲ仕様は、ＣＰを用いる離散フーリエ変換拡散ＯＦＤＭ（ＤＦＴ−ｓ−ＯＦＤＭ）（シングルキャリアＦＤＭＡ（ＳＣ−ＦＤＭＡ）とも呼ばれる）に対するサポートを提供する。しかしながら、本開示の範囲内では、多重化および多元接続は、上記スキームに限定されず、時分割多元接続（ＴＤＭＡ）、符号分割多元接続（ＣＤＭＡ）、周波数分割多元接続（ＦＤＭＡ）、スパース符号多元接続（ＳＣＭＡ）、リソース拡散多元接続（ＲＳＭＡ）、または他の好適な多元接続スキームを利用して提供され得る。さらに、基地局２１０からＵＥ２２２および２２４へのＤＬ送信の多重化は、時分割多重化（ＴＤＭ）、符号分割多重化（ＣＤＭ）、周波数分割多重化（ＦＤＭ）、直交周波数分割多重化（ＯＦＤＭ）、スパース符号多重化（ＳＣＭ）、または他の好適な多重化スキームを利用して提供され得る。
【００４３】
[0056]本開示の様々な態様は、図４に概略的に例示される、ＯＦＤＭ波形を参照して説明される。本開示の様々な態様は、本明細書で以下に説明されるのと実質的に同じ方法でＤＦＴ−ｓ−ＯＦＤＭＡ波形に適用され得ることが、当業者によって理解されるべきである。すなわち、本開示のいくつかの例が、明確にするためにＯＦＤＭリンクにフォーカスし得る一方で、同じ原理が、ＤＦＴ−ｓ−ＯＦＤＭＡ波形にも適用され得ることが理解されるべきである。
【００４４】
[0057]本開示内では、フレームは、ワイヤレス送信のための所定の持続時間（例えば、１０ｍｓ）を指すとともに、各フレームは、例えば、それぞれ１ｍｓの１０個のサブフレームで構成されている。所与のキャリア上では、アップリンク（ＵＬ）における１つのセットのフレームと、ダウンリンク（ＤＬ）における別のセットのフレームとが存在し得る。ここで図４を参照すると、例示的なＤＬサブフレーム４０２の拡大図が例示され、ＯＦＤＭリソースグリッド４０４を示している。しかしながら、当業者が容易に理解するであろうように、任意の特定のアプリケーションのためのＰＨＹ送信構造は、任意の数のファクタに依存して、ここで説明される例とは異なり得る。ここで、時間は、ＯＦＤＭシンボルの単位で水平方向にあり、周波数は、サブキャリアまたはトーンの単位で垂直方向にある。
【００４５】
[0058]リソースグリッド４０４は、所与のアンテナポートについての時間周波数リソースを概略的に表すために使用され得る。すなわち、複数のアンテナポートが利用可能であるＭＩＭＯインプリメンテーションでは、対応する複数の数のリソースグリッド４０４が、通信のために利用可能であり得る。リソースグリッド４０４は、複数のリソースエレメント（ＲＥ）４０６に分割される。１サブキャリア×１シンボルであるＲＥは、時間周波数グリッドの最小の個別部分（smallest discrete part）であり、物理チャネルまたは信号からのデータを表す単一の複素数値を含む。特定のインプリメンテーションで利用される変調に依存して、各ＲＥは、１または複数のビットの情報を表し得る。いくつかの例では、ＲＥのブロックは、物理リソースブロック（ＰＲＢ）またはより簡単にはリソースブロック（ＲＢ）４０８と呼ばれ得、これは、周波数領域において任意の好適な数の連続したサブキャリアを含む。一例では、ＲＢは、１２個のサブキャリアを含み得、これは、使用されるニューメロロジーとは独立した数である。いくつかの例では、ニューメロロジーに依存して、ＲＢは、時間領域において任意の好適な数の連続したＯＦＤＭシンボルを含み得る。本開示内では、ＲＢ４０８などの単一のＲＢは、通信の単一方向（所与のデバイスについての送信または受信のいずれか）に完全に対応すると仮定される。
【００４６】
[0059]ＵＥは、一般に、リソースグリッド４０４のサブセットのみを利用する。ＲＢは、ＵＥに割り振られ得るリソースの最小単位であり得る。したがって、ＵＥのためにスケジュールされるＲＢが多いほど、そしてエアインターフェースのために選ばれる変調スキームが高度であるほど、ＵＥのためのデータレートは高くなる。
【００４７】
[0060]この例示では、ＲＢ４０８は、サブフレーム４０２の全帯域幅未満を占有するように示されているとともに、いくつかのサブキャリアが、ＲＢ４０８の上下に例示されている。所与のインプリメンテーションでは、サブフレーム４０２は、任意の数の１つまたは複数のＲＢ４０８に対応する帯域幅を有し得る。さらに、この例示では、ＲＢ４０８は、サブフレーム４０２の全継続時間未満を占有するように示されているが、これは単なる１つの可能な例にすぎない。
【００４８】
[0061]各サブフレーム（例えば、１ｍｓのサブフレーム４０２）は、１つまたは複数の隣接するスロット（adjacent slots）で構成され得る。図４に示される例では、１つのサブフレーム４０２は、例示的な例として、４つのスロット４１０を含む。いくつかの例では、スロットは、所与のサイクリックプレフィックス（ＣＰ）長を有するＯＦＤＭシンボルの指定された数に従って定義され得る。例えば、スロットは、公称ＣＰを有する７個または１４個のＯＦＤＭシンボルを含み得る。追加の例は、より短い持続時間（例えば、１つまたは２つのＯＦＤＭシンボル）を有するミニスロットを含み得る。これらのミニスロットは、いくつかのケースでは、同じＵＥまたは異なるＵＥについての継続中のスロット送信のためにスケジュールされたリソースを占有して送信され得る。
【００４９】
[0062]これらスロット４１０のうちの１つの拡大図が、制御領域４１２とデータ領域４１４とを含むスロット４１０を例示する。一般に、制御領域４１２は、制御チャネル（例えば、ＰＤＣＣＨ）を搬送し得、データ領域４１４は、データチャネル（例えば、ＰＤＳＣＨまたはＰＵＳＣＨ）を搬送し得る。当然ながら、スロットは、全てがＤＬ部分、全てがＵＬ部分、または少なくとも１つのＤＬ部分と少なくとも１つのＵＬ部分とを含み得る。図４に例示される単純な構造は、本質的に単に例示的であり、異なるスロット構造が利用され得、（１つまたは複数の）制御領域および（１つまたは複数の）データ領域の各々のうちの１つまたは複数を含み得る。
【００５０】
[0063]図４には例示されていないが、ＲＢ４０８内の様々なＲＥ４０６は、制御チャネル、共有チャネル、データチャネル、等を含む、１つまたは複数の物理チャネルを搬送するようにスケジュールされ得る。ＲＢ４０８内の他のＲＥ４０６はまた、それに限定されるものではないが、復調基準信号（ＤＭＲＳ）、制御基準信号（ＣＲＳ）、またはサウンディング基準信号（ＳＲＳ）を含む、基準信号またはパイロットを搬送し得る。これらのパイロットまたは基準信号は、受信デバイスが対応するチャネルのチャネル推定を実行することを提供し得（may provide for）、これは、ＲＢ４０８内の制御チャネルおよび／またはデータチャネルのコヒーレントな復調／検出を可能にし得る。
【００５１】
[0064]ＤＬ送信では、送信デバイス（例えば、スケジューリングエンティティ１０８）は、１つまたは複数のスケジュールされたエンティティ１０６に、ＰＢＣＨ、ＰＳＳ、ＳＳＳ、ＳＳブロック、物理制御フォーマットインジケータチャネル（ＰＣＦＩＣＨ）、物理ハイブリッド自動再送要求（ＨＡＲＱ）インジケータチャネル（ＰＨＩＣＨ）、および／または物理ダウンリンク制御チャネル（ＰＤＣＣＨ）、等といった、１つまたは複数のＤＬ制御チャネルを含むＤＬ制御情報１１４を搬送するために、（例えば、制御領域４１２内の）１つまたは複数のＲＥ４０６を割り振り得る。ＰＣＦＩＣＨは、受信デバイスがＰＤＣＣＨを受信および復号するのを支援する情報を提供する。ＰＤＣＣＨは、それに限定されるものではないが、ＤＬおよびＵＬ送信についてのＲＥの割当て、グラント、スケジューリング情報、および／または電力制御コマンドを含む、ダウンリンク制御情報（ＤＣＩ）を搬送する。ＰＨＩＣＨは、肯定応答（ＡＣＫ）または否定応答（ＮＡＣＫ）などのＨＡＲＱフィードバック送信を搬送する。ＨＡＲＱは、当業者に周知の技法であり、ここで、パケット送信のインテグリティ（integrity）は、例えば、チェックサムまたは巡回冗長検査（ＣＲＣ）などの、任意の好適なインテグリティチェックメカニズムを利用して、受信側で正確性をチェックされ得る。送信のインテグリティが確認された場合、ＡＣＫが送信され得、一方、確認されなかった場合、ＮＡＣＫが送信され得る。ＮＡＣＫに応答して、送信デバイスは、ＨＡＲＱ再送信を送り得、これは、チェイス合成法（chase combining）、インクリメンタル冗長（incremental redundancy）、等をインプリメントし得る。
【００５２】
[0065]ＵＬ送信では、送信デバイス（例えば、スケジュールされたエンティティ１０６）は、スケジューリングエンティティ１０８に、物理アップリンク制御チャネル（ＰＵＣＣＨ）などの１つまたは複数のＵＬ制御チャネルを含むＵＬ制御情報１１８を搬送するために、１つまたは複数のＲＥ４０６を利用し得る。ＵＬ制御情報は、アップリンクデータ送信を復号することを可能にするかまたは支援するように構成されたパイロット、基準信号、および情報を含む、様々なパケットタイプおよびカテゴリを含み得る。いくつかの例では、制御情報１１８は、例えば、スケジューリングエンティティ１０８がアップリンク送信をスケジュールするための要求などの、スケジューリング要求（ＳＲ）を含み得る。ここで、制御チャネル１１８上で送信されたＳＲに応答して、スケジューリングエンティティ１０８は、アップリンクパケット送信のためのリソースをスケジュールし得るダウンリンク制御情報１１４を送信し得る。ＵＬ制御情報はまた、ＨＡＲＱフィードバック、チャネル状態フィードバック（ＣＳＦ）、またはその他任意の好適なＵＬ制御情報を含み得る。
【００５３】
[0066]制御情報に加えて、（例えば、データ領域４１４内の）１つまたは複数のＲＥ４０６が、ユーザデータまたはトラフィックデータのために割り振られ得る。このようなトラフィックは、ＤＬ送信の場合、物理ダウンリンク共有チャネル（ＰＤＳＣＨ）、またはＵＬ送信の場合、物理アップリンク共有チャネル（ＰＵＳＣＨ）などの、１つまたは複数のトラフィックチャネル上で搬送され得る。いくつかの例では、データ領域４１４内の１つまたは複数のＲＥ４０６は、所与のセルへのアクセスを可能にし得る情報を搬送する、システム情報ブロック（ＳＩＢ）を搬送するように構成され得る。
【００５４】
[0067]上記で説明されかつ図１および図４に例示されたチャネルまたはキャリアは、スケジューリングエンティティ１０８とスケジュールされたエンティティ１０６との間で利用され得る必ずしも全てのチャネルまたはキャリアではなく、当業者であれば、他のトラフィック、制御、およびフィードバックチャネルなどの他のチャネルまたはキャリアが、例示されたそれらに加えて利用され得ることを認識するであろう。
【００５５】
[0068]上記で説明されたこれらの物理チャネルは、一般に、媒体アクセス制御（ＭＡＣ）層での処理のために、トランスポートチャネルに多重化およびマッピングされる。トランスポートチャネルは、トランスポートブロック（ＴＢ）と呼ばれる情報のブロックを搬送する。情報のビット数に対応し得るトランスポートブロックサイズ（ＴＢＳ）は、所与の送信におけるＲＢの数および変調およびコーディングスキーム（ＭＣＳ）に基づく、制御されたパラメータであり得る。
【００５６】
[0069]ＯＦＤＭでは、サブキャリアまたはトーンの直交性を維持するために、サブキャリア間隔は、シンボル期間の逆数に等しくなり得る。ＯＦＤＭ波形のニューメロロジーは、その特定のサブキャリア間隔とサイクリックプレフィックス（ＣＰ）オーバヘッドを指す。スケーラブルニューメロロジーは、異なるサブキャリア間隔を選択することと、それに応じて、各間隔について、ＣＰ長を含む、対応するシンボル持続時間を選択することとを行うネットワークの能力を指す。スケーラブルニューメロロジーでは、公称サブキャリア間隔（ＳＣＳ）が、整数倍で上方または下方にスケーリングされ（scaled upward or downward）得る。このようにして、ＣＰオーバヘッドおよび選択されたＳＣＳにかかわらず、シンボル境界は、シンボルのある特定の共通の倍数（certain common multiples of symbols）において整列され得る（例えば、各１ｍｓサブフレームの境界において整列される）。ＳＣＳの範囲は、任意の好適なＳＣＳを含み得る。例えば、スケーラブルニューメロロジーは、１５ｋＨｚから４８０ｋＨｚまでの範囲にわたるＳＣＳをサポートし得る。
【００５７】
[0070]スケーラブルニューメロロジーのこの概念を例示するために、図５は、公称ニューメロロジーを有する第１のＲＢ５０２と、スケーリングされたニューメロロジーを有する第２のＲＢ５０４とを示す。一例として、第１のＲＢ５０２は、３０ｋＨｚの「公称」サブキャリア間隔（ＳＣＳｎ）、および３３３μｓの「公称」シンボル持続時間ｎを有し得る。ここで、第２のＲＢ５０４では、スケーリングされたニューメロロジーは、公称ＳＣＳの２倍、すなわち、２×ＳＣＳｎ＝６０ｋＨｚのスケーリングされたＳＣＳを含む。これにより、１シンボル当たり２倍の帯域幅が提供されるので、同じ情報を搬送するための短縮されたシンボル持続時間がもたらされる。したがって、第２のＲＢ５０４では、スケーリングされたニューメロロジーは、公称シンボル持続時間の半分、すなわち、（シンボル持続時間ｎ）÷２＝１６７μｓのスケーリングされたシンボル持続時間を含む。
【００５８】
[0071]本開示のいくつかの態様では、スケジューリングエンティティ１０８（例えば、ｇＮＢ）は、様々なＳＳブロック設計を使用して、１つまたは複数のスケジュールされたエンティティ１０８（例えば、ＵＥ）に、同期および制御信号（例えば、ＰＳＳ、ＳＳＳ、およびＰＢＣＨ）を送信し得る。各ＳＳブロックは、ＰＳＳ、ＳＳＳ、およびＰＢＣＨを含み得る。図６は、本開示のいくつかの態様による、例示的なＳＳブロック６００を例示する図である。ＳＳブロック６００は、図３のＳＳブロック３０２と同じであり得、ＳＳバースト３００に含まれ得る。ＳＳＢブロック６００は、ＳＳブロック内で０から３まで昇順に番号付けされた４つのＯＦＤＭシンボルを含む。ＳＳブロック６００は、様々な同期および制御信号を提供し得る。この例では、ＳＳブロック６００の時間周波数リソース（例えば、ＲＥまたはＲＢ）は、ＰＳＳ６０２、ＳＳＳ６０４、およびＰＢＣＨ６０６を搬送するために割り振られ得る。ＳＳブロックのいくつかのリソースは、ＰＢＣＨに関連付けられた復調基準信号（ＤＭＲＳ）に割り振られ得る。例えば、ＰＢＣＨ６０６が位置するシンボルのいくつかのＲＥは、関連付けられたＤＭＲＳ６１０または同様のものに割り振られ得る。本開示のいくつかの態様では、ＰＢＣＨ６０６は、ＰＳＳおよび／またはＳＳＳのものよりも広い帯域幅（ＰＢＣＨ  ＢＷ）に及ぶ。一例では、ＰＢＣＨは、２４０トーン（例えば、サブキャリア０、１、．．．２３９）の帯域幅を有し得、ＰＳＳ／ＳＳＳは、１２７トーン（例えば、サブキャリア５６、５７、．．．１８２）の帯域幅を有し得る。別の例では、ＰＢＣＨ帯域幅は、ＰＳＳ／ＳＳＳ帯域幅の２倍の幅であり得る。
【００５９】
[0072]５Ｇ  ＮＲでは、ＰＢＣＨチャネル推定および復調は、ＰＳＳ／ＳＳＳおよび／またはＤＭＲＳを使用して実行され得る。ＰＳＳおよびＳＳＳは、ＰＢＣＨと同じＳＳブロック６００内で送信され、ＰＢＣＨシンボルと時間領域において多重化される。ＤＭＲＳは、ＰＢＣＨと同じシンボル内で送信され、周波数領域において多重化される。この例では、ＰＢＣＨ６０６は、第２および第４のシンボルを占有し、ＰＳＳ６０２は、第１のシンボルを占有し、ＳＳＳ６０４は、第３のシンボルを占有する。この特定のＳＳブロック６００の構成は、単なる一例にすぎない。本開示の他の態様では、ＰＳＳ、ＳＳＳ、およびＰＢＣＨは、他の例でのＳＳブロックの異なるＲＥに割り振られ得る。すなわち、ＰＢＣＨ、ＰＳＳ、およびＳＳＳのシーケンスは、この例とは異なり得、さらに、周波数領域において異なって現れ得る（may appear different）。
【００６０】
[0073]スケジューリングエンティティが、ＰＢＣＨと同じＳＳブロックにおいてＰＳＳおよびＳＳＳを送信するとき、受信デバイスは、少なくとも部分的にＰＳＳおよび／またはＳＳＳに基づいて、ＰＢＣＨを復調し得る。ＰＳＳ／ＳＳＳは、ＰＢＣＨのチャネル推定および復調のための基準信号として使用され得る。しかしながら、例えば、ＰＳＳ／ＳＳＳの帯域幅がＰＢＣＨの帯域幅未満であるときなどの、いくつかの状況では、追加の専用ＤＭＲＳが必要であり得る。このケースでは、専用ＤＭＲＳは、ＰＳＳ／ＳＳＳが送信されないトーンにおけるＰＢＣＨのＲＥについての少なくともチャネル推定を提供するために使用され得る。本開示のいくつかの態様では、ＰＳＳ／ＳＳＳは、１つのポート（例えば、ポートＰ０）から送信され得、一方、ＰＢＣＨは、２つのポート（例えば、ＰＳＳ／ＳＳＳとの１つの共通ポートＰ０および１つの追加のポートＰ１）から送信され得る。このケースでは、専用ＤＭＲＳは、少なくともポートＰ１の送信についてのチャネル推定を提供するために必要であり得る。
【００６１】
[0074]図６に関連して説明された例では、ＰＳＳおよびＳＳＳは、ＳＳブロック６００内の全ての利用可能な帯域幅を使用するわけではないので、未使用／割り振られていないリソース６１２（例えば、ＲＥ）の一部または全てが、他の情報または補助チャネルを搬送するために使用され得る。補助チャネルのいくつかの非限定的な例が、ＳＳブロック時間インデックスをシグナリングするための３次同期信号（ＴＳＳ：tertiary sync signal）、ビーム微調整（beam refinement）のためのビーム基準信号（ＢＲＳ）、ＵＥの省電力をサポートするウェイクアップ無線信号または同様のもの、最小システム情報ブロック（ＭＳＩＢ：minimum system information block）情報（例えば、チャネルアクセスのために必要とされるＳＩＢの最小セットが位置し得る、スロットまたはＲＢ内のロケーションを示す情報）を搬送するＰＤＳＣＨリソースのスケジューリンググラントをシグナリングするための共通探索空間ＰＤＣＣＨ、ページングチャネル／信号、等である。別の例では、補助チャネルは、補助ＰＢＣＨであり得る。１つの特定の例では、スケジューリングエンティティは、補助チャネル、等を使用してＭＩＢ情報を送信するために、再割り振りされたＲＥを利用することによって、共通探索空間構成をシグナリングするためのマスタ情報ブロック（ＭＩＢ）オーバヘッドを低減させ得る。
【００６２】
[0075]いくつかの例では、利用可能なＲＥの一部または全てが、補助チャネルまたは信号を送信するために再割り振りされ得る。例えば、補助チャネルは、ＳＳＳと周波数分割多重化（ＦＤＭ）され得、一方、ＰＳＳと同じシンボル内の利用可能なＲＥ８１０の部分は、未使用のままであり得る。すなわち、ＰＳＳの性質は、補助チャネルがＰＳＳとＦＤＭされる場合、その情報が劣化し得るようなものであり得る。
【００６３】
[0076]図７は、本開示のいくつかの態様による、例示的なＳＳブロック７００を例示する図である。ＳＳブロック７００は、上記で説明されたＳＳブロック６００のそれと同様のＰＳＳ７０２、ＳＳＳ７０４、およびＰＢＣＨ７０６を有する。ＰＢＣＨ７０６に関連付けられたＤＭＲＳは、簡略化のために図７には示されていない。この例では、スケジューリングエンティティは、リンクカバレッジを改善および／または拡張するために、補助チャネル（例えば、補助ＰＢＣＨ７０８）に、第３のシンボルにおける未使用リソースを割り振り得る。このケースでは、補助ＰＢＣＨ７０８およびＳＳＳ７０４は、同じシンボルロケーショにおいてＦＤＭを使用して多重化される。補助ＰＢＣＨは、ＰＢＣＨペイロード（例えば、ＭＩＢ）のコーディングされたビットのより多くの反復を送信することによって、ＰＢＣＨのリンクバジェットおよび／またはカバレッジを改善し得る。補助ＰＢＣＨ７０８およびＰＢＣＨ７０６は、それらがチャネルコーディングの観点からリンクされるように、ジョイント符号化され得る。一例では、コーディングされたビットは、反復され、ＰＢＣＨにマッピングされる。補助ＰＢＣＨは、ＰＢＣＨのコーディングされたビットの追加の反復を搬送する。リンクバジェットエンハンスメントのために、コーディングされたビットとそれらの反復とが、補助ＰＢＣＨにさらにマッピングされる。例えば、ＰＢＣＨおよび補助ＰＢＣＨのデータシーケンスは、多重化され、ジョイントエンコーダに供給され得る。補助ＰＢＣＨ７０８とＰＢＣＨ７０６をジョイント符号化することは、ＯＦＤＭシンボルを生成するための、チャネルコーディング、誤り訂正コーディング、スクランブリング、変調、レイヤマッピング、およびプリコーディングのうちの１つまたは複数を含み得る。本開示のいくつかの態様では、補助ＰＢＣＨ７０８とＰＢＣＨ７０６は、同じ変調およびチャネルコーディングスキームを使用し得る。
【００６４】
[0077]本開示のいくつかの態様では、スケジューリングエンティティは、同じＳＳブロックにおいて補助ＰＢＣＨ７０８とＰＢＣＨ７０６を送信するために、同じ送信（Ｔｘ）構成を使用し得る。同じＴｘ構成を使用することは、受信機の設計を単純化し得る。Ｔｘ構成は、送信スキームのある特定の組合せを指す。例えば、送信デバイスは、ジョイント符号化され、異なるＯＦＤＭシンボルにマッピングされる補助ＰＢＣＨとＰＢＣＨとを送信するために、同じアンテナポート構成、同じビームフォーミング構成、および／または同じ送信ダイバーシティスキームを使用し得る。いくつかの例では、送信デバイスは、補助ＰＢＣＨとＰＢＣＨとを送信するために、同じニューメロロジー（例えば、サブキャリア間隔およびサイクリックプレフィックス）を使用し得る。
【００６５】
[0078]図８は、本開示のいくつかの態様による、別の例示的なＳＳブロック８００を例示する図である。ＳＳブロック８００は、上記で説明されたＳＳブロック６００および７００のそれらと同様のＰＳＳ８０２、ＳＳＳ８０４、およびＰＢＣＨ８０６を有する。この例では、スケジューリングエンティティは、リンクカバレッジを改善および／または拡張するために、補助チャネル（例えば、補助ＰＢＣＨ８０８）に、第１および第３のシンボルにおける未使用リソースを割り振り得る。このケースでは、補助ＰＢＣＨ８０８は、ＰＳＳ８０２およびＳＳＳ８０４と周波数多重化される。スケジューリングエンティティは、補助ＰＢＣＨ８０８とＰＢＣＨ８０６をジョイント符号化し、それらの送信のために同じ変調およびチャネルコーディングスキームを使用し得る。さらに、スケジューリングエンティティは、同じＳＳブロックにおいて補助ＰＢＣＨとＰＢＣＨを送信するために、同じＴｘ構成を使用し得る。
【００６６】
[0079]本開示のいくつかの態様では、利用可能なＲＥ内で搬送される補助信号／チャネルは、ＤＭＲＳを搬送するために少なくとも部分的に利用され得る。他の例では、ＰＢＣＨシンボルにおいて搬送されるＤＭＲＳはまた、補助信号／チャネルの少なくとも一部のための復調基準信号として使用され得る。ＰＢＣＨに関連付けられたＤＭＲＳが補助信号／チャネルを復調するために使用されるとき、送信デバイスは、ＭＩＢ、ＳＩＢ、またはＲＲＣシグナリングを介して、ＵＥにそのようなケースを示し得る。例えば、ＵＥが静止しているか、または低速移動しているシナリオでは、ＰＢＣＨを搬送する異なるシンボルにおけるＤＭＲＳに基づくチャネル復調が、補助信号／チャネルを復調するのに十分であり得る。しかしながら、電車または自動車などで、ＵＥが高速移動しているシナリオでは、補助信号／チャネルの復調は、そのような補助信号／チャネルと同じシンボルにおいてＤＭＲＳを有することから利益を得ることができる。いくつかの例では、ＰＢＣＨのためのＤＭＲＳのそのような使用は、事前設定（preconfigured）され得、補助信号／チャネルによるその使用についての明示的なシグナリングは、必要でない場合がある。
【００６７】
[0080]図６に戻って参照すると、本開示の一態様では、いくつかの時間周波数リソース６１２は、未使用または割り振られていないままであり得る。この例では、これらの未使用または割り振られていないリソース（例えば、ＲＥ）についての利用可能な送信電力は、ＰＳＳおよび／またはＳＳＳのＴｘ電力レベルをブーストまたは増大させるために使用され得る。一例では、スケジューリングエンティティは、３ｄＢまたは利用可能なＴｘ電力によって制限される任意の所望の値だけ、ＰＳＳ／ＳＳＳのＴｘ電力レベルをブースト（すなわち、増大）させ得る。すなわち、ＰＳＳ／ＳＳＳを搬送するＲＥに適用される電力は、同じＲＢまたはスロット内のＲＥのために利用される公称レベルまたはデフォルト値に対して所定量（例えば、３ｄＢ）だけ増大（すなわち、ブースト）され得る。ＵＥがＰＢＣＨを復号または復調するためにＤＭＲＳとしてＰＳＳ／ＳＳＳを使用し得るので、スケジューリングエンティティは、適用された場合、電力ブーストについてＵＥに通知し得る。例えば、スケジューリングエンティティは、ＵＥにＰＳＳ／ＳＳＳの電力ブーストについて通知するために、ＲＲＣシグナリングまたはダウンリンク制御情報（ＤＣＩ）を使用し得る。電力ブーストがＰＳＳ／ＳＳＳに適用されるとき、スケジューリングエンティティは、ＰＢＣＨの電力を考慮する必要がある。一例では、ＰＢＣＨがその公称電力で送信されるとき（すなわち、ブーストなし）、ＰＳＳ／ＳＳＳは、ｘ ｄＢだけブーストされ得る。ＰＢＣＨの電力がｙ ｄＢだけ既に増大しているとき、送信デバイスは、ＰＢＣＨとＰＳＳ／ＳＳＳとの間の電力差が維持され得るように、ｘ＋ｙ ｄＢだけ、ＰＳＳ／ＳＳＳの電力をブーストし得る。スケジューリングエンティティは、システム情報（例えば、残りの最小システム情報（ＲＭＳＩ：remaining minimum system information）または他のシステム情報（ＯＳＩ：Other System Information））または無線リソース制御（ＲＲＣ）シグナリングを介して、ブーストされたＰＳＳおよび／またはＳＳＳを示し得る。
【００６８】
[0081]図９および図１０は、本開示のいくつかの態様による、追加の例示的なＳＳブロック設計を例示する図である。図９を参照すると、ＳＳブロック９００は、第１および第４のシンボルにＰＢＣＨ９０２、第２のシンボルにＰＳＳ９０４、および第３のシンボルにＳＳＳ９０６を含む。第２および第３のシンボルにおけるいくつかの時間周波数リソース９０８は、図６〜図８に関連して上記で説明されたように、再割振りのために利用可能である。図１０を参照すると、ＳＳブロック１０００は、第１および第４のシンボルにＰＢＣＨ１００２、第２のシンボルにＰＳＳ１００４、および第３のシンボルにＳＳＳ１００６を含む。第２および第３のシンボルにおけるいくつかの時間周波数リソース１００８は、図６〜図８に関連して上記で説明されたように、再割振りのために利用可能である。
【００６９】
[0082]図１１は、処理システム１１１４を用いるスケジューリングエンティティ１１００のためのハードウェアインプリメンテーションの例を例示するブロック図である。例えば、スケジューリングエンティティ１１００は、図１および／または図２のうちの任意の１つまたは複数に例示されるようなユーザ機器（ＵＥ）であり得る。別の例では、スケジューリングエンティティ１１００は、図１および／または図２のうちの任意の１つまたは複数に例示されるような基地局であり得る。
【００７０】
[0083]スケジューリングエンティティ１１００は、１つまたは複数のプロセッサ１１０４を含む処理システム１１１４を用いてインプリメントされ得る。プロセッサ１１０４の例は、マイクロプロセッサ、マイクロコントローラ、デジタルシグナルプロセッサ（ＤＳＰ）、フィールドプログラマブルゲートアレイ（ＦＰＧＡ）、プログラマブル論理デバイス（ＰＬＤ）、ステートマシン、ゲートロジック（gated logic）、個別ハードウェア回路、および本開示全体にわたって説明される様々な機能を実行するように構成された他の好適なハードウェアを含む。様々な例では、スケジューリングエンティティ１１００は、本明細書で説明される機能のうちの任意の１つまたは複数を実行するように構成され得る。すなわち、スケジューリングエンティティ１１００において利用されるようなプロセッサ１１０４は、図６〜図１０および図１２に関連して説明されるプロセスおよびプロシージャのうちの任意の１つまたは複数をインプリメントするために使用され得る。
【００７１】
[0084]この例では、処理システム１１１４は、概してバス１１０２によって表される、バスアーキテクチャを用いてインプリメントされ得る。バス１１０２は、処理システム１１１４の特定のアプリケーションおよび全体的な設計制約に依存して、任意の数の相互接続バスおよびブリッジを含み得る。バス１１０２は、１つまたは複数のプロセッサ（概してプロセッサ１１０４によって表される）、メモリ１１０５、およびコンピュータ可読媒体（概してコンピュータ可読媒体１１０６によって表される）を含む様々な回路を通信可能に共に結合する。バス１１０２はまた、タイミングソース、周辺機器、電圧レギュレータ、および電力管理回路などの様々な他の回路をリンクさせ得、これらは、当該技術分野において周知であり、したがって、これ以上は説明されない。バスインターフェース１１０８は、バス１１０２とトランシーバ１１１０との間のインターフェースを提供する。トランシーバ１１１０は、送信媒体を介して様々な他の装置と通信するための手段または通信インターフェースを提供する。装置の性質に依存して、ユーザインターフェース１１１２（例えば、キーパッド、ディスプレイ、スピーカ、マイクロフォン、ジョイスティック）も提供され得る。当然ながら、このようなユーザインターフェース１１１２はオプションであり、基地局などのいくつかの例では省略され得る。
【００７２】
[0085]本開示のいくつかの態様では、プロセッサ１１０４は、例えば、同期信号ブロックを用いたスケジュールされたエンティティとの通信を含む、様々な機能のために構成された回路構成（例えば、処理回路１１４０、通信回路１１４２、および符号化回路１１４４）を含み得る。例えば、回路構成は、図１２に関連して説明される機能のうちの１つまたは複数をインプリメントするように構成され得る。
【００７３】
[0086]プロセッサ１１０４は、バス１１０２の管理と、コンピュータ可読媒体１１０６上に記憶されたソフトウェアの実行を含む汎用処理とを担い得る。ソフトウェアは、プロセッサ１１０４によって実行されると、処理システム１１１４に、任意の特定の装置に関して以下で説明される様々な機能を実行させる。コンピュータ可読媒体１１０６およびメモリ１１０５はまた、ソフトウェアを実行するときにプロセッサ１１０４によって操作されるデータを記憶するために使用され得る。
【００７４】
[0087]処理システムにおける１つまたは複数のプロセッサ１１０４は、ソフトウェアを実行し得る。ソフトウェアは、ソフトウェア、ファームウェア、ミドルウェア、マイクロコード、ハードウェア記述言語、またはそれ以外の名称で呼ばれるかにかかわらず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行ファイル、実行スレッド、プロシージャ、関数（functions）、等を意味するように広く解釈されるものとする。ソフトウェアは、コンピュータ可読媒体１１０６に存在し得る。コンピュータ可読媒体１１０６は、非一時的なコンピュータ可読媒体であり得る。非一時的なコンピュータ可読媒体は、例として、磁気記憶デバイス（例えば、ハードディスク、フロッピー（登録商標）ディスク、磁気ストリップ）、光ディスク（例えば、コンパクトディスク（ＣＤ）またはデジタル多目的ディスク（ＤＶＤ））、スマートカード、フラッシュメモリデバイス（例えば、カード、スティック、またはキードライブ）、ランダムアクセスメモリ（ＲＡＭ）、読取専用メモリ（ＲＯＭ）、プログラマブルＲＯＭ（ＰＲＯＭ）、消去可能なＰＲＯＭ（ＥＰＲＯＭ）、電気的に消去可能なＰＲＯＭ（ＥＥＰＲＯＭ（登録商標））、レジスタ、リムーバブルディスク、ならびにコンピュータによってアクセスされ、読み取られ得るソフトウェアおよび／または命令を記憶するためのその他任意の好適な媒体を含む。コンピュータ可読媒体１１０６は、処理システム１１１４の内部に存在するか、処理システム１１１４の外部に存在するか、処理システム１１１４を含む複数のエンティティにわたって分散され得る。コンピュータ可読媒体１１０６は、コンピュータプログラム製品において具現化され得る。例として、コンピュータプログラム製品は、パッケージング材料中のコンピュータ可読媒体を含み得る。当業者であれば、特定のアプリケーションおよびシステム全体に課せられる全体的な設計制約に依存して、本開示全体にわたって提示された、説明された機能をインプリメントするのに最良の方法を認識するであろう。
【００７５】
[0088]１つまたは複数の例では、コンピュータ可読記憶媒体１１０６は、例えば、ＳＳブロックを用いたスケジュールされたエンティティとの通信を含む、様々な機能のために構成されたソフトウェア（例えば、処理命令１１５２、通信命令１１５４、および符号化命令１１５６）を含み得る。例えば、ソフトウェアは、図１２に関連して説明される機能のうちの１つまたは複数をインプリメントするように構成され得る。
【００７６】
[0089]図１２は、本開示のいくつかの態様による、同期信号（ＳＳ）ブロックを使用するワイヤレス通信のための例示的なプロセス１２００を例示するフローチャートである。以下で説明されるように、いくつかまたは全ての例示された特徴は、本開示の範囲内の特定のインプリメンテーションでは省略され得、いくつかの例示された特徴は、全ての実施形態のインプリメンテーションには必要とされない場合がある。いくつかの例では、プロセス１２００は、図１１に例示されたスケジューリングエンティティ１１００によって行われ得る。いくつかの例では、プロセス１２００は、以下で説明される機能またはアルゴリズムを行うための任意の好適な装置または手段によって行われ得る。
【００７７】
[0090]ブロック１２０２において、図１１を参照すると、スケジューリングエンティティ１１００は、通信回路１１４２を使用して、ＳＳブロックおよび補助チャネルを送信するために、複数の時間領域シンボルをスケジュールする。例えば、ＳＳブロックは、図６〜図１０に例示されたＳＳブロックと同様の、１次同期信号（ＰＳＳ）、２次同期信号（ＳＳＳ）、および物理ブロードキャストチャネル（ＰＢＣＨ）を含む。
【００７８】
[0091]ブロック１２０４において、スケジューリングエンティティは、符号化回路１１４４を使用して、送信のためにＰＢＣＨと補助チャネルをジョイント符号化する。例えば、符号化回路１１４４は、ＰＢＣＨおよび補助チャネルのデータシーケンスを多重化し、多重化されたシーケンスをジョイントエンコーダに供給するように構成され得る。
【００７９】
[0092]ブロック１２０６において、スケジューリングエンティティは、トランシーバ１１１０を使用して、ＵＥまたはスケジュールされたエンティティに、ＳＳブロックと補助チャネルとを含む複数の時間領域シンボルを送信する。いくつかの例では、ＰＳＳまたはＳＳＳのうちの少なくとも１つは、補助チャネルと周波数多重化される。一例では、補助チャネルは、それぞれのシンボルにおいてＰＳＳおよび／またはＳＳＳと周波数多重化される補助ＰＢＣＨである。このプロセス１２００を使用して、スケジューリングエンティティは、補助信号／チャネルを送信するために、ＳＳブロックの割り振られていないリソースを利用し得る。したがって、通信効率が増大され得る。
【００８０】
[0093]本開示のいくつかの態様では、ＰＳＳ／ＳＳＳを送信するためのものと同じシンボル中のいくつかのリソースが使用されないとき、スケジューリングエンティティが、ＰＳＳおよび／またはＳＳＳのＴｘ電力をブーストし得ることも企図される。
【００８１】
[0094]図１３は、処理システム１３１４を用いる例示的なスケジュールされたエンティティ１３００のためのハードウェアインプリメンテーションの例を例示する概念図である。本開示の様々な態様によれば、要素、または要素の任意の部分、または複数の要素の任意の組合せが、１つまたは複数のプロセッサ１３０４を含む処理システム１３１４を用いてインプリメントされ得る。例えば、スケジュールされたエンティティ１３００は、図１および／または図２のうちの任意の１つまたは複数に例示されたようなユーザ機器（ＵＥ）であり得る。
【００８２】
[0095]処理システム１３１４は、図１１に例示された処理システム１１１４と実質的に同じであり得、バスインターフェース１３０８、バス１３０２、メモリ１３０５、プロセッサ１３０４、およびコンピュータ可読媒体１３０６を含む。さらに、スケジュールされたエンティティ１３００は、図１１において上記で説明されたものと実質的に同様のユーザインターフェース１３１２およびトランシーバ１３１０を含み得る。すなわち、スケジュールされたエンティティ１３００において利用されるようなプロセッサ１３０４は、以下で説明されかつ図１３に例示されるプロセスのうちの任意の１つまたは複数をインプリメントするために使用され得る。
【００８３】
[0096]本開示のいくつかの態様では、プロセッサ１３０４は、例えば、ワイヤレス通信においてＳＳブロックを受信および復号すること含む、様々な機能のために構成された回路構成（例えば、処理回路１３４０、通信回路１３４２、および復号回路１３４４）を含み得る。例えば、回路構成は、図１４に関連して以下で説明される機能のうちの１つまたは複数をインプリメントするように構成され得る。１つまたは複数の例では、コンピュータ可読記憶媒体１３０６は、例えば、ワイヤレス通信においてＳＳブロックを受信および復号すること含む、様々な機能のために構成されたソフトウェア（例えば、処理命令１３５２、通信命令１３５４、および復号命令１３５６）を含み得る。例えば、ソフトウェアは、図１４に関連して説明される機能のうちの１つまたは複数をインプリメントするように構成され得る。
【００８４】
[0097]図１４は、本開示のいくつかの態様による、同期信号（ＳＳ）ブロックを使用するワイヤレス通信のための別の例示的なプロセス１４００を例示するフローチャートである。以下で説明されるように、いくつかまたは全ての例示された特徴は、本開示の範囲内の特定のインプリメンテーションでは省略され得、いくつかの例示された特徴は、全ての実施形態のインプリメンテーションには必要とされない場合がある。いくつかの例では、プロセス１４００は、図１３に例示されたスケジュールされたエンティティ１３００によって行われ得る。いくつかの例では、プロセス１４００は、以下で説明される機能またはアルゴリズムを行うための任意の好適な装置または手段によって行われ得る。
【００８５】
[0098]ブロック１４０２において、図１３を参照すると、スケジュールされたエンティティ１３００は、通信回路１３４２およびトランシーバ１３１０を使用して、ＳＳブロックと補助チャネルとを含む複数の時間領域シンボルを受信する。ＳＳブロックは、ＰＳＳ、ＳＳＳ、およびＰＢＣＨを含み、ＰＳＳまたはＳＳＳのうちの少なくとも１つは、補助チャネルと周波数多重化されている。いくつかの例では、ＳＳブロックは、図６〜図１０に関連して説明されたＳＳブロックのうちの任意のものであり得る。
【００８６】
[0099]ブロック１４０４において、スケジュールされたエンティティ１３００は、復号回路１３４４を使用して、補助チャネル、ＰＳＳ、ＳＳＳ、および補助チャネルとジョイント符号化されたＰＢＣＨを復元するために、複数の時間領域シンボルを復号する。スケジュールされたエンティティは、ＰＢＣＨと補助ＰＢＣＨのジョイント復号を実行する。例示的な復号プロセスは、シンボル読み取り、レイヤデマッピングおよびデプリコーディング（deprecoding）、復調、デスクランブリング、ならびにコードワード復号のうちの１つまたは複数を含み得る。いくつかの例では、スケジュールされたエンティティは、補助チャネルを復調するために、ＰＢＣＨに関連付けられたＤＭＲＳを使用し得る。いくつかの例では、補助チャネルは、補助ＰＢＣＨである。いくつかの例では、スケジュールされたエンティティは、ＰＢＣＨを復調するための復調基準信号として、ＰＳＳ／ＳＳＳを使用し得る。
【００８７】
[0100]一構成では、ワイヤレス通信のための装置１１００および／または１３００は、ＳＳブロックおよび（１つまたは複数の）補助チャネルを送信および／または受信するための様々な手段を含む。一態様では、前述の手段は、前述の手段によって記載された機能を実行するように構成された、図１１／図１３に示された（１つまたは複数の）プロセッサ１１０４／１３０４であり得る。別の態様では、前述の手段は、前述の手段によって記載された機能を実行するように構成された回路または任意の装置であり得る。
【００８８】
[0101]当然ながら、上記の例では、プロセッサ１１０４／１３０４に含まれる回路構成は、単なる一例として提供されているにすぎず、説明された機能を行うための他の手段が、それに限定されるものではないが、コンピュータ可読記憶媒体１１０６／１３０６に記憶された命令、または図１および／または図２のうちのいずれか１つで説明されたその他任意の好適な装置または手段を含み、例えば、図１２および／または図１４に関連して本明細書で説明されたプロセスおよび／またはアルゴリズムを利用する、本開示の様々な態様内に含まれ得る。
【００８９】
[0102]ワイヤレス通信ネットワークのいくつかの態様は、例示的なインプリメンテーションを参照して提示されてきた。当業者が容易に理解するであろうように、本開示全体にわたって説明された様々な態様は、他のテレコミュニケーションシステム、ネットワークアーキテクチャ、および通信規格に拡張され得る。
【００９０】
[0103]例として、様々な態様は、ロングタームエボリューション（ＬＴＥ）、発展型パケットシステム（ＥＰＳ）、ユニバーサルモバイルテレコミュニケーションシステム（ＵＭＴＳ）、および／またはモバイルのためのグローバルシステム（ＧＳＭ（登録商標））などの、３ＧＰＰによって定義された他のシステム内でインプリメントされ得る。様々な態様はまた、ＣＤＭＡ２０００および／またはエボリューションデータオプティマイズド（ＥＶ−ＤＯ）などの、第３世代パートナーシッププロジェクト２（３ＧＰＰ２）によって定義されたシステムに拡張され得る。他の例は、ＩＥＥＥ８０２．１１（Ｗｉ−Ｆｉ）、ＩＥＥＥ８０２．１６（ＷｉＭＡＸ）、ＩＥＥＥ８０２．２０、ウルトラワイドバンド（ＵＷＢ）、Ｂｌｕｅｔｏｏｔｈ（登録商標）を用いるシステムおよび／または他の好適なシステム内でインプリメントされ得る。用いられる実際の電気通信規格、ネットワークアーキテクチャ、および／または通信規格は、特定のアプリケーションおよびシステムに課せられる全体的な設計制約に依存することになる。
【００９１】
[0104]本開示内では、「例示的（exemplary）」という用語は、「例、事例、または例示を提供する」という意味で使用される。本明細書で「例示的」と説明される任意のインプリメンテーションまたは態様は、必ずしも本開示の他の態様よりも好ましいまたは有利であると解釈されるべきでない。同様に、「態様」という用語は、本開示の態様の全てが、説明された特徴、利点または動作モードを含むことを必要としない。「結合された」という用語は、本明細書では、２つのオブジェクト間の直接的または間接的な結合を指すために使用される。例えば、オブジェクトＡがオブジェクトＢに物理的に接触しており、かつオブジェクトＢがオブジェクトＣに接触している場合には、オブジェクトＡおよびＣは、たとえそれらが互いに直接物理的に接触していなかったとしても、依然として互いに結合されているものとして見なされ得る。例えば、第１のオブジェクトは、たとえ第１のオブジェクトが第２のオブジェクトに決して直接物理的に接触していなかったとしても、第２のオブジェクトに結合され得る。「回路（circuit）」および「回路構成（circuitry）」という用語は、広く使用され、電子回路のタイプに関して限定せずに、接続および構成されたとき、本開示で説明された機能の実行を可能にする電気的なデバイスおよびコンダクタのハードウェアインプリメンテーションのみならず、プロセッサによって実行されたとき、本開示で説明された機能の実行を可能にする情報および命令のソフトウェアインプリメンテーションの両方を含むよう意図される。
【００９２】
[0105]図１〜図１４に例示されたコンポーネント、ステップ、特徴および／または機能のうちの１つまたは複数は、単一のコンポーネント、ステップ、特徴または機能に組み合わされるおよび／または並べ替えられるか、あるいはいくつかのコンポーネント、ステップ、または機能において具現化され得る。追加の要素、コンポーネント、ステップ、および／または機能もまた、本明細書で開示された新規の特徴から逸脱することなく追加され得る。図１〜図１４に例示された装置、デバイス、および／またはコンポーネントは、本明細書で説明された方法、特徴、またはステップのうちの１つまたは複数を実行するように構成され得る。本明細書で説明された新規のアルゴリズムはまた、効率的にソフトウェアでインプリメントされ、および／またはハードウェアに埋め込まれ得る。
【００９３】
[0106]開示された方法におけるステップの特定の順序または階層は、例示的なプロセスの例示であることが理解されるべきである。設計の選好に基づいて、方法におけるステップの特定の順序または階層が並べ替えられ得ることが理解される。添付の方法の請求項は、様々なステップの要素をサンプルの順序で提示したものであり、そこで特に記載されていない限り、提示された特定の順序または階層に限定されるようには意図されない。
【図１】
2020517176.tif 000003
【図２】
2020517176.tif 000004
【図３】
2020517176.tif 000005
【図４】
2020517176.tif 000006
【図５】
2020517176.tif 000007
【図６】
2020517176.tif 000008
【図７】
2020517176.tif 000009
【図８】
2020517176.tif 000010
【図９】
2020517176.tif 000011
【図１０】
2020517176.tif 000012
【図１１】
2020517176.tif 000013
【図１２】
2020517176.tif 000014
【図１３】
2020517176.tif 000015
【図１４】
2020517176.tif 000016
【国際調査報告】
2020517176.tif 000017
2020517176.tif 000018
2020517176.tif 000019